(57)【特許請求の範囲】
【請求項１】
プーリと、
このプーリを回動自在に保持するプーリ保持部と、他部材に取り付けられる取付部と、この取付部と前記プーリ保持部との間に設けられて、前記取付部を支点として弾性的に屈撓する弾性部とを有する支持部材と、
を備え、
前記プーリ保持部は、前記取付部を支点とした前記弾性部の屈撓方向に沿って位置変更自在に固定される、
ことを特徴とするベルトテンション付与装置。
【請求項２】
プーリと、
このプーリを回動自在に保持するプーリ保持部と、他部材に取り付けられる取付部と、この取付部と前記プーリ保持部との間に設けられて、弾性を有する金属部材を配設して前記取付部を支点として弾性的に屈撓する弾性部とを有する支持部材と、
を備え、
前記プーリ保持部は、前記取付部を支点とした前記弾性部の屈撓方向に沿って位置変更自在に固定される、
ことを特徴とするベルトテンション付与装置。
【請求項３】
取付部は他部材と弾性的に係合・離合し、他部材に対して係脱自在とすることを特徴とする請求項１又は２記載のベルトテンション付与装置。
【請求項４】
駆動力を発生する駆動モータと、
この駆動モータの駆動力を伝達するプーリに巻回されるタイミングベルトと、このタイミングベルトに当接して所定の張力を付与する請求項１ないし３のいずれか一記載のベルトテンション付与装置とを有して、前記駆動モータに連結されて駆動力を被駆動体に伝達する駆動力伝達機構と、
を備えることを特徴とする駆動装置。
【請求項５】
装置本体の上面に備えられて原稿を載置するコンタクトガラスと、
このコンタクトガラスに対向して設けられて、前記原稿の画像を主走査方向に読み取る光学部材と、
この光学部材を副走査方向に案内する案内部と、
この案内部に従って、前記光学部材を往復動自在に移動させる請求項４記載の駆動装置と、
を設けることを特徴とする画像読取装置。
【発明の詳細な説明】
【０００１】
【発明の属する技術分野】
本発明は、原稿の読取走査のために光学部材を移動させる駆動装置、これに用いられるベルトテンション付与装置及びその駆動装置を用いる画像読取装置に関する。
【０００２】
【従来の技術】
複写機等に組み込まれる画像読取装置は、一般的に、装置本体の上面にコンタクトガラスを備え、コンタクトガラスと対向する装置本体内部においてコンタクトガラス上に載置された原稿の情報を読取走査するための光学部材を含む光学ユニットをその副走査方向に移動自在に備えている。さらに、画像読取装置は、この光学ユニットを副走査方向に移動させるための駆動装置を備えている。この駆動装置は、駆動力を発生する駆動モータとこの駆動力を光学ユニットに伝達する駆動力伝達機構とにより構成されている。また、駆動力伝達機構は、駆動モータにより生じた駆動力を光学ユニットに伝達するために、プーリやタイミングベルト等を組合せることにより構成されている。ここで、タイミングベルトには、駆動モータにより生じた駆動力をロスすることなく効率良く伝達するために、一定の張力が付与されている。タイミングベルトに張力を付与するために設けられているのが、ベルトテンション付与装置である。
【０００３】
ここで図１１は、従来のベルトテンション付与装置５０を示す分解斜視図である。図１１に示すように、ベルトテンション付与装置５０は、プーリ５１と支持部材５２とを中心に構成されている。プーリ５１は、円盤状であって、その両側面中央部に支持穴５３を有している。また、支持部材５２には、プーリ５１を回動自在に保持するプーリ保持部５４が設けられている。このプーリ保持部５４は、プーリ５１を保持するために二つの孔状の軸受５５を対向して設けて、この軸受５５とプーリ５１の支持穴５３とに支軸５６を貫通させてプーリ５１を回動自在に保持する。さらに、プーリ保持部５４から延出して設けられる取付部５７には、締結部材５９によって装置本体（図示せず）に取り付けるための取付孔５８が設けられている。また、支持部材５２には付勢部材であるスプリング６０の一端が係止され、このスプリング６０の他端は装置本体（図示せず）に係止されている。スプリング６０は、プーリ保持部５４に保持されたプーリ５１をタイミングベルト（図示せず）へ押しつけるためのものである。このような構成により、ベルトテンション付与装置５０は、タイミングベルトに張力を付与するものである。
【０００４】
【発明が解決しようとする課題】
ところが、このようなベルトテンション付与装置では、プーリや支持部材以外にもスプリングや支軸等の構成部品を必要とするために製造コストが高くなってしまう。また、スプリングを装置本体に取り付けるためのスペースが必要となり、省スペース化が図れず、装置を小型化する上で問題となっている。
【０００５】
本発明の目的は、構成部品の点数を削減することにより簡単な構成とし、省スペース化を図ることにより、小型で安価なベルトテンション付与装置、このベルトテンション付与装置を用いる駆動装置及びこの駆動装置を用いる画像読取装置を得ることである。
【０００６】
本発明の別の目的は、タイミングベルトに常に一定の張力を付与し、駆動力をロスすることなく効率良く伝達するベルトテンション付与装置、このベルトテンション付与装置を用いる駆動装置及びこの駆動装置を用いる画像読取装置を得ることである。
【０００７】
【課題を解決するための手段】
請求項１記載の発明のベルトテンション付与装置は、プーリと、このプーリを回動自在に保持するプーリ保持部と、他部材に取り付けられる取付部と、この取付部と前記プーリ保持部との間に設けられて、前記取付部を支点として弾性的に屈撓する弾性部とを有する支持部材と、を備え、前記プーリ保持部は、前記取付部を支点とした前記弾性部の屈撓方向に沿って位置変更自在に固定される。
【０００８】
したがって、ベルトテンション付与装置をプーリと、プーリ保持部と取付部と弾性部とを有する支持部材とで形成し、プーリ保持部において回動自在にプーリを保持し、取付部において他部材に取り付けられるようにした。また、弾性部が取付部を支点として弾性的に屈撓するようにしたので、プーリ保持部に保持されたプーリがタイミングベルトに所定の圧力をもって当接し、タイミングベルトに対して張力が付与される。これにより、ベルトテンション付与装置はプーリと支持部材との二部品の簡単な構成とされ、構成部品の点数が削減される。さらに、支持部材自身が弾性的に屈撓するので、他の付勢部材を不要とし、省スペース化が図れる。さらにまた、プーリ保持部が取付部を支点とした弾性部の屈撓方向に沿って位置変更自在に固定されるので、タイミングベルトに対する張力の調節を可能にするとともに、タイミングベルトには常に一定の張力が付与される。
【０００９】
請求項２記載の発明のベルトテンション付与装置は、プーリと、このプーリを回動自在に保持するプーリ保持部と、他部材に取り付けられる取付部と、この取付部と前記プーリ保持部との間に設けられて、弾性を有する金属部材を配設して前記取付部を支点として弾性的に屈撓する弾性部とを有する支持部材と、を備え、前記プーリ保持部は、前記取付部を支点とした前記弾性部の屈撓方向に沿って位置変更自在に固定される。
【００１０】
したがって、ベルトテンション付与装置をプーリと、プーリ保持部と取付部と弾性部とを有する支持部材とで形成し、プーリ保持部において回動自在にプーリを保持し、取付部において他部材に取り付けられるようにした。また、弾性を有する金属部材を配設した弾性部が取付部を支点として弾性的に屈撓するようにしたので、たとえ支持部材のみでは所望の弾性が得られなくても金属部材の弾性力を加えることによりプーリ保持部に保持されたプーリがタイミングベルトに所定の圧力をもって当接し、タイミングベルトに対して張力が付与される。これにより、ベルトテンション付与装置はプーリと支持部材と金属部材との簡単な構成とされ、構成部品の点数が削減される。さらに、支持部材に付勢部材である金属部材を配設したので、省スペース化が図れる。さらにまた、プーリ保持部が取付部を支点とした弾性部の屈撓方向に沿って位置変更自在に固定されるので、タイミングベルトに対する張力の調節を可能にするとともに、タイミングベルトには常に一定の張力が付与される。
【００１３】
請求項３記載の発明は、請求項１又は２記載のベルトテンション付与装置において、取付部は他部材と弾性的に係合・離合し、他部材に対して係脱自在とする。
【００１４】
したがって、取付部が他部材と弾性的に係合・離合し、他部材に対して係脱自在とされるので、螺子等の取付用の締結部材を要さなくとも取り付けられることとなり、更に部品点数が削減される。
【００１５】
請求項４記載の発明の駆動装置は、駆動力を発生する駆動モータと、この駆動モータの駆動力を伝達するプーリに巻回されるタイミングベルトと、このタイミングベルトに当接して所定の張力を付与する請求項１ないし３のいずれか一記載のベルトテンション付与装置とを有して、前記駆動モータに連結されて駆動力を被駆動体に伝達する駆動力伝達機構と、を備える。
【００１６】
したがって、駆動装置を駆動モータと駆動力伝達機構とで構成し、この駆動力伝達機構の一部を構成しているベルトテンション付与装置を請求項１ないし３のいずれか一記載のベルトテンション付与装置としたので、駆動モータにより生じた駆動力が、プーリと、ベルトテンション付与装置の当接によって張力を付与されたタイミングベルトとを介して被駆動体に伝達される。これにより、駆動モータにより生じた駆動力を効率良く伝達することが可能となるとともに、駆動装置の構成部品の削減と省スペース化とが図られる。また、駆動装置のタイミングベルトには常に一定の張力が付与される。
【００１７】
請求項５記載の発明の画像読取装置は、装置本体の上面に備えられて原稿を載置するコンタクトガラスと、このコンタクトガラスに対向して設けられて、前記原稿の画像を主走査方向に読み取る光学部材と、この光学部材を副走査方向に案内する案内部と、この案内部に従って、前記光学部材を往復動自在に移動させる請求項４記載の駆動装置と、を設ける。
【００１８】
したがって、画像読取装置はコンタクトガラスと光学部材と案内部と請求項４記載の駆動装置とを設けて、駆動装置の駆動によって光学部材を案内部に沿って移動させてコンタクトガラス上の原稿を読取走査する。この場合、駆動装置において、駆動モータにより生じた駆動力が、プーリと、請求項１ないし３のいずれか一記載のベルトテンション付与装置の当接によって張力を付与されたタイミングベルトとを介して被駆動体である光学部材に伝達される。これにより、駆動モータにより生じた駆動力を効率良く伝達することが可能となるとともに、画像読取装置の構成部品の削減と駆動装置の省スペース化とが図られ、安価で小型化された画像読取装置が提供される。また、画像読取装置に設けられた駆動装置のタイミングベルトには常に一定の張力が付与され、駆動力をロスすることなく効率良く伝達する画像読取装置が提供される。
【００１９】
【発明の実施の形態】
本発明の第一の実施の形態を図１ないし図９に基づいて説明する。本実施の形態は、複写機に組み込まれる画像読取装置としてのスキャナ部１へ適用した一例である。
【００２０】
図１は、本実施の形態のスキャナ部１を示す斜視図である。図１に示すように、スキャナ部１は、スキャナ本体２の上面に原稿（図示せず）を載置する矩形状のコンタクトガラス３を備えている。このコンタクトガラス３と対向するスキャナ本体２の内部には、光学ユニット４が備えられている。この光学ユニット４は、ガイドレール７と従動レール８との上にスライド自在に取り付けられているキャリッジ５と、このキャリッジ５上に搭載された光学部材６とで構成されている。また、キャリッジ５の下部には、駆動装置９の第二タイミングベルト１０が、ガイドレール７と平行して配設されている。
【００２１】
ここで、光学部材６について説明する。光学部材６は、一般的に密着型イメージセンサと呼ばれているものであって、光源（図示せず）と、多数の撮像素子（ＣＣＤ）を主走査方向Ｂにライン状に連設して形成されたラインセンサ（図示せず）とを有している。この光学部材６は、通常、図１に示す副走査方向Ａの上流側をホームポジションとして位置し、下流側に移動する過程で、光源がコンタクトガラス３上に載置される原稿を照射し、原稿からの反射光をラインセンサが受光することにより画像データを出力するものである。
【００２２】
次いで、駆動装置９について説明する。図２は、スキャナ部１の駆動装置９を概略的に示す平面図である。図２に示すように、駆動装置９には、正逆方向に回転駆動するステッピングモータである駆動モータ１１が設けられている。また、スキャナ本体２の下面であって駆動モータ１１の駆動力伝達方向下流には、駆動プーリ１２が設けられ、この駆動プーリ１２と駆動モータ１１の出力軸に取り付けられたプーリ１３とに内周に歯合部（図示せず）を有する第一タイミングベルト１４が巻回されている。第一タイミングベルト１４には、所定の初期張力を付与する第一ベルトテンション付与装置１５（図４参照）のテンションプーリ１９が当接している。また、駆動プーリ１６は駆動プーリ１２と一体で成形されていて、スキャナ本体２の内部に突出している。さらに、駆動力伝達方向下流には第二ベルトテンション付与装置１７（図７参照）のタイミングプーリ３４が設けられており、このタイミングプーリ３４と駆動プーリ１６とには、内周に歯合部１０ａ（図３参照）を有する第二タイミングベルト１０が巻回されている。これら第二タイミングベルト１０と駆動プーリ１２とプーリ１３と第一タイミングベルト１４とテンションプーリ１９と駆動プーリ１６とタイミングプーリ３４とにより、駆動力伝達機構１８が形成されている。また、図３は、駆動装置９とキャリッジ５との接続状態を概略的に示す平面図である。図３に示すように、駆動装置９とキャリッジ５とは、第二タイミングベルト１０の歯合部１０ａの一部をキャリッジ５のベルト咬合部５ａに咬合させて取り付けられている。すなわち、図２に示すように、駆動装置９は、駆動モータ１１により生じた駆動力を駆動力伝達機構１８を介して光学ユニット４に伝達し、この光学ユニット４を副走査方向Ａに移動させるものである。
【００２３】
図４は、第一ベルトテンション付与装置１５の部品構成を示す分解斜視図である。第一ベルトテンション付与装置１５は、テンションプーリ１９と支持部材２０とで構成されている。テンションプーリ１９は、円盤状であって、その両側面中央部に突出形成された突起状の回転軸２１を有している。支持部材２０は、例えばガラス繊維強化ポリスチレン、ＰＰＥ、ＡＢＳ樹脂、ポリカーボネート樹脂等の材料により一体成形されていて、プーリ保持部２２と弾性部２３と取付部２４とにより構成されている。弾性部２３は、テンションプーリ１９の厚みと略一致する幅である細長い薄板状に形成されて、弾性を有している。プーリ保持部２２は、弾性部２３の一方の端部に対向して備えられる二つの薄板状であって、弾性を有する軸受部２５，２６により形成されている。これらの軸受部２５，２６には、テンションプーリ１９の両側面のそれぞれの回転軸２１を回動自在に保持する孔状の軸受２７が設けられている。すなわち、テンションプーリ１９は、プーリ保持部２２の軸受部２５と軸受部２６との間を押し広げながら挿入され、軸受２７において回動自在に保持される。また、取付部２４は、弾性部２３のもう一方の端部の両面において、断面を略Ｔ字状とする二対の係合部２９，３０を備えて形成されている。さらに、軸受部２５には、取付部２４を支点とした弾性部２３の屈撓方向に沿って長く形成された長孔２８が設けられている。
【００２４】
ここで図５は、第一ベルトテンション付与装置１５のスキャナ本体２への実装状況を示す平面図である。スキャナ本体２の下面には、このスキャナ本体２の下面を切り欠いて屈曲形成された本体取付部３１が設けられていて、第一ベルトテンション付与装置１５が取り付けられている。図６は、第一ベルトテンション付与装置１５と本体取付部３１との取付状況を示す正面図である。図６に示すように、本体取付部３１には、二つの切欠３２が設けられている。これらの切欠３２と第一ベルトテンション付与装置１５の係合部２９とを弾性的に係合させることにより、第一ベルトテンション付与装置１５がスキャナ本体２の下面に取り付けられる。このような構成により、図５に示すように、本体取付部３１に取り付けられた第一ベルトテンション付与装置１５のプーリ保持部２２は、取付部２４を支点として弾性部２３を弾性的に屈撓させることにより、テンションプーリ１９を第一タイミングベルト１４に対して所定の初期張力を付与できる位置に移動した後、長孔２８において螺子３３を螺合することでスキャナ本体２の下面に固定される。
【００２５】
図７は、第二ベルトテンション付与装置１７の部品構成を示す分解斜視図である。第二ベルトテンション付与装置１７は、タイミングプーリ３４と支持部材２０とで構成されている。この第二テンションプーリ１７の支持部材２０については前述した第一ベルトテンション付与装置１５の支持部材２０と何ら変わるものではなく、テンションプーリ１９に代わってタイミングプーリ３４を有する点でのみ第一ベルトテンション付与装置１５と異なるものである。前述した第一ベルトテンション付与装置１５と同一部分は同一符号で示し、説明も省略する。タイミングプーリ３４は、円盤状であって、その両側面中央部に突出形成された突起状の回転軸３５を有している。また、タイミングプーリ３４は、外周上に歯合部３４ａを有している。
【００２６】
ここで図８は、第二ベルトテンション付与装置１７のスキャナ本体２への実装状況を示す平面図である。スキャナ本体２の側面には、このスキャナ本体２の側面を切り欠いて形成された本体取付部３６が設けられていて、第二ベルトテンション付与装置１７が取り付けられている。図９は、第二ベルトテンション付与装置１７と本体取付部３６との取付状況を示す背面図である。図９に示すように、本体取付部３６には、二つの切欠３７が設けられている。これらの切欠３７と第二ベルトテンション付与装置１７の係合部３０とを弾性的に係合させることにより、第二ベルトテンション付与装置１７がスキャナ本体２の側面に取り付けられる。このような構成により、第二ベルトテンション付与装置１７は、図８に示すように、第二タイミングベルト１０を巻回させた後にタイミングプーリ３４をプーリ保持部２２の軸受部２５と軸受部２６との間を押し広げながら挿入することにより、軸受２７においてタイミングプーリ３４を回動自在に保持する。この際、第二タイミングベルト１０の歯合部１０ａとタイミングプーリ３４の歯合部３４ａとは、互いに歯合する。その後、本体取付部３６に取り付けられた第二ベルトテンション付与装置１７のプーリ保持部２２は、取付部２４を支点として弾性部２３を弾性的に屈撓させることにより、タイミングプーリ３４を第二タイミングベルト１０に対して所定の初期張力を付与できる位置に移動した後、長孔２８において螺子３３を螺合することでスキャナ本体２に固定される。
【００２７】
以上のような構成により、光学ユニット４に駆動モータ１１の駆動力を駆動力伝達機構１８を介して伝達することにより、光学ユニット４がガイドレール７に沿って副走査方向Ａへと往復動自在に摺動される。この光学ユニット４の副走査方向Ａへの摺動の際に、コンタクトガラス３上に載置された原稿の画像が光学部６により読み取られる。
【００２８】
ここで、この場合の駆動装置９の動作を詳しく説明する。図２に示すように、まず、駆動モータ１１の正逆方向への回転駆動による駆動力が、第一タイミングベルト１４を介して駆動プーリ１２へと伝達される。この際、位置を固定された第一ベルトテンション付与装置１５のテンションプーリ１９は、第一タイミングベルト１４の回転に従って連れ回りながら第一タイミングベルト１４に所定の張力を常に付与する。駆動プーリ１２へと伝達された駆動力は、この駆動プーリ１２に一体に成形されている駆動プーリ１６が駆動プーリ１２とともに回転することにより、第二タイミングベルト１０へと伝達される。この際、位置を固定された第二ベルトテンション付与装置１７のタイミングプーリ３４は、その歯合部３４ａを第二タイミングベルト１０の歯合部１０ａと歯合し、第二タイミングベルト１０の回転に従って連れ回りながら第二タイミングベルト１０に所定の張力を常に付与する。これにより、第二タイミングベルト１０の歯合部１０ａの一部をキャリッジ５のベルト咬合部５ａに咬合させて取り付けられている光学ユニット４が駆動される。
【００２９】
また、第二ベルトテンション付与装置１７のタイミングプーリ３４は、長孔２８において螺子３３を螺合することによりスキャナ本体２に固定されるので、駆動モータ１１の逆回転時の第二タイミングベルト１０の伸長による弾性部２３の撓みによってタイミングプーリ３４がずれることがなくなる。すなわち、所定の張力を第二タイミングベルト１０に常に付与するので、第二タイミングベルト１０の歯合部１０ａとタイミングプーリ３４の歯合部３４ａとの歯飛び（スリップ）が防止される。
【００３０】
ここに、本実施の形態において、第一ベルトテンション付与装置１５と第二ベルトテンション付与装置１７とは、それぞれ支持部材２０とテンションプーリ１９又はタイミングプーリ３４との二部品の簡単な構成とされ、他の締結部材を用いずにスキャナ本体２に取り付けられている。これにより、構成部品の点数の削減が図られることになる。さらに、それぞれの支持部材２０自身が弾性的に屈撓するので他の付勢部材は不要とされ、省スペース化も図られている。また、第一ベルトテンション付与装置１５と第二ベルトテンション付与装置１７とのそれぞれの支持部材２０のプーリ保持部２２が取付部２４を支点とした弾性部２３の屈撓方向に沿って固定されていることにより、第一タイミングベルト１４と第二タイミングベルト１０とに対する張力の調節が可能とされるとともに、第一タイミングベルト１４と第二タイミングベルト１０とには常に一定の張力が付与されるので、駆動モータ１１により生じた駆動力がロスすることなく効率良く伝達されることになる。
【００３１】
本発明の第二の実施の形態を図１０に基づいて説明する。なお、前述した本発明の第二の実施の形態において説明した部分と同一部分は同一符号で示し、説明も省略する。
【００３２】
図１０は、第二ベルトテンション付与装置４０の部品構成を示す分解斜視図である。第二ベルトテンション付与装置４０は、タイミングプーリ３４と支持部材２０と線細工バネ４１とで構成されている。この第二ベルトテンション付与装置４０のタイミングプーリ３４と支持部材２０とについては前述した第二ベルトテンション付与装置１７のタイミングプーリ３４と支持部材２０と何ら変わるものではなく、線細工バネ４１を備える点でのみ第二ベルトテンション付与装置１７と異なるものである。線細工バネ４１は、ワイヤ状であって、支持部材２０の係合部２９を貫いて弾性部２３に装着されている。
【００３３】
ここに、本実施の形態において、第二ベルトテンション付与装置４０の支持部材２０に線細工バネ４１を装着した弾性部２３が取付部２４を支点として弾性的に屈撓する。これにより、たとえ支持部材２０のみでは所望の弾性が得られなくても線細工バネ４１の弾性力を加えることでプーリ保持部２２に保持されたタイミングプーリ３４が第二タイミングベルト１０に所定の圧力をもって当接され、第二タイミングベルト１０に対して所定の張力が付与されることになる。したがって、第二ベルトテンション付与装置４０はタイミングプーリ３４と支持部材２０と線細工バネ４１との簡単な構成とされ、構成部品の点数の削減が図られている。さらに、支持部材２０に付勢部材である線細工バネ４１を装着したので、省スペース化も図られている。
【００３４】
なお、各実施の形態において、光学部材６に密着型イメージセンサを用いたが、これに限られるものではなく、結像レンズで原稿を縮小結像してからＣＣＤで読み取る縮小型イメージセンサを用いても良い。
【００３５】
【発明の効果】
請求項１記載の発明のベルトテンション付与装置によれば、ベルトテンション付与装置をプーリと、プーリ保持部と取付部と弾性部とを有する支持部材とで形成して、プーリ保持部において回動自在にプーリを保持し、取付部において他部材に取り付け、弾性部が取付部を支点として弾性的に屈撓することにより、プーリ保持部に保持されたプーリがタイミングベルトに所定の圧力をもって当接し、タイミングベルトに対して張力を付与するので、ベルトテンション付与装置はプーリと支持部材との二部品の簡単な構成となり構成部品の点数を削減することができる。さらに、支持部材自身が弾性的に屈撓することにより、他の付勢部材を不要とするので、省スペース化を図ることができる。さらにまた、プーリ保持部が取付部を支点とした弾性部の屈撓方向に沿って位置変更自在に固定されることにより、タイミングベルトに対する張力の調節を可能にすることができるとともに、タイミングベルトには常に一定の張力が付与されるので、駆動力をロスすることなく効率良く伝達することができる。
【００３６】
請求項２記載の発明のベルトテンション付与装置によれば、ベルトテンション付与装置をプーリと、プーリ保持部と取付部と弾性部とを有する支持部材とで形成して、プーリ保持部において回動自在にプーリを保持し、取付部において他部材に取り付け、弾性を有する金属部材を配設した弾性部が取付部を支点として弾性的に屈撓することにより、たとえ支持部材のみでは所望の弾性が得られなくても金属部材の弾性力を加えることでプーリ保持部に保持されたプーリがタイミングベルトに所定の圧力をもって当接し、タイミングベルトに対して張力を付与するので、ベルトテンション付与装置はプーリと支持部材と金属部材との簡単な構成となり構成部品の点数を削減することができる。さらに、支持部材に付勢部材である金属部材を配設したので、省スペース化を図ることができる。さらにまた、プーリ保持部が取付部を支点とした弾性部の屈撓方向に沿って位置変更自在に固定されることにより、タイミングベルトに対する張力の調節を可能にすることができるとともに、タイミングベルトには常に一定の張力が付与されるので、駆動力をロスすることなく効率良く伝達することができる。
【００３８】
請求項３記載の発明によれば、請求項１又は２記載のベルトテンション付与装置において、取付部が他部材と弾性的に係合・離合し、他部材に対して係脱自在とされることにより、螺子等の取付用の締結部材を要さなくとも簡単に取り付けられるので、更に部品点数を削減することができる。
【００３９】
請求項４記載の発明の駆動装置によれば、駆動装置を駆動モータと駆動力伝達機構とで構成し、この駆動力伝達機構の一部を構成しているベルトテンション付与装置を請求項１ないし３のいずれか一記載のベルトテンション付与装置とするので、駆動モータにより生じた駆動力がベルトテンション付与装置の当接によって張力を付与されたタイミングベルトとプーリとを介して被駆動体に伝達されることにより、駆動モータにより生じた駆動力を効率良く伝達することができるとともに、駆動装置の構成部品の削減と省スペース化とを図ることができる。また、駆動装置のタイミングベルトに常に一定の張力を付与することができる。
【００４０】
請求項５記載の発明の画像読取装置によれば、コンタクトガラスと光学部材と案内部と請求項４記載の駆動装置とを設けた画像読取装置は、駆動装置の駆動モータにより生じた駆動力を請求項１ないし３のいずれか一記載のベルトテンション付与装置の当接によって張力を付与されたタイミングベルトを介して伝達することにより光学部材を案内部に沿って移動させてコンタクトガラス上の原稿を読取走査するようにしたので、駆動モータにより生じた駆動力を効率良く伝達することができるとともに、画像読取装置の構成部品の削減と駆動装置の省スペース化とを図ることができるようになって、安価で小型化された画像読取装置を提供することができる。また、画像読取装置に設けられた駆動装置のタイミングベルトには常に一定の張力が付与されるので、駆動力をロスすることなく効率良く伝達する画像読取装置を提供することができる。
【図面の簡単な説明】
【図１】本発明の第一の実施の形態のスキャナ部を示す斜視図である。
【図２】スキャナ部の駆動装置を概略的に示す平面図である。
【図３】駆動装置とキャリッジとの接続状態を概略的に示す平面図である。
【図４】第一ベルトテンション付与装置の部品構成を示す分解斜視図である。
【図５】第一ベルトテンション付与装置のスキャナ本体への実装状況を示す平面図である。
【図６】第一ベルトテンション付与装置と本体取付部との取付状況を示す正面図である。
【図７】第二ベルトテンション付与装置の部品構成を示す分解斜視図である。
【図８】第二ベルトテンション付与装置のスキャナ本体への実装状況を示す平面図である。
【図９】第二ベルトテンション付与装置と本体取付部との取付状況を示す背面図である。
【図１０】本発明の第二の実施の形態の第二ベルトテンション付与装置の部品構成を示す分解斜視図である。
【図１１】従来のベルトテンション付与装置を示す分解斜視図である。
【符号の説明】
３                コンタクトガラス
６                光学部材
７                案内部
９                駆動装置
１０，１４        タイミングベルト
１１              駆動モータ
１５，１７，４０  ベルトテンション付与装置
１８              駆動力伝達機構
１２，１３，１６，１９，３４  プーリ
２０              支持部材
２２              プーリ保持部
２３              弾性部
２４              取付部
４１              金属部材
【図１】
0003581523.tif 000002
【図２】
0003581523.tif 000003
【図３】
0003581523.tif 000004
【図４】
0003581523.tif 000005
【図５】
0003581523.tif 000006
【図６】
0003581523.tif 000007
【図７】
0003581523.tif 000008
【図８】
0003581523.tif 000009
【図９】
0003581523.tif 000010
【図１０】
0003581523.tif 000011
【図１１】
0003581523.tif 000012